(57)【要約】【課題】腕の振りの方向を含む好ましいランニングフォームを習得することができる運動器具を提供する。【解決手段】運動器具１は、着用者１００の右上腕１０１に装着し、右上腕１０１と右前腕１１２が所定の角度より広がらないように規制する右腕装着部９と、着用者１００の左上腕１０２に装着し、左上腕１０２と左前腕１１３が所定の角度より広がらないように規制する左腕装着部１０と、右腕装着部９と左腕装着部１０に接続され、右上腕１０１と左上腕１０２が所定の距離より離れないように規制する中央接続部（前側弾性体６ａ、後側弾性体６ｂ）と、を備えている。【選択図】図１
2020182610.tif 000002
【特許請求の範囲】
【請求項１】
着用者の右上腕に装着し、前記右上腕と右前腕が所定の角度より広がらないように規制する右腕装着部と、
前記着用者の左上腕に装着し、前記左上腕と左前腕が所定の角度より広がらないように規制する左腕装着部と、
前記右腕装着部と前記左腕装着部に接続され、前記右上腕と前記左上腕が所定の距離より離れないように規制する中央接続部と、を備える、運動器具。
【請求項２】
前記中央接続部は、前記着用者の胸部を経由する前側弾性体を含む、請求項１に記載の運動器具。
【請求項３】
前記中央接続部は、前記着用者の後頸部を経由する後側弾性体をさらに含む、請求項２に記載の運動器具。
【請求項４】
前記中央接続部は、係止具を介して少なくとも前記右腕装着部または前記左腕装着部のいずれかと着脱自在に接続される、請求項１から３のいずれかに記載の運動器具。
【請求項５】
前記右腕装着部は、前記右上腕に装着する右上腕装着具を有し、
前記左腕装着部は、前記左上腕に装着する左上腕装着具を有し、
前記中央接続部は、前記右上腕装着具と前記左上腕装着具に接続される、請求項１から４のいずれかに記載の運動器具。
【請求項６】
前記右腕装着部は、
前記着用者の右腕における肘より前方に装着する右腕前部装着具と、
前記右上腕装着具と前記右腕前部装着具を接続する右側接続部と、をさらに有し、
前記左腕装着部は、
前記着用者の左腕における肘より前方に装着する左腕前部装着具と、
前記左上腕装着具と前記左腕前部装着具を接続する左側接続部と、をさらに有する、請求項５に記載の運動器具。
【請求項７】
前記右側接続部と前記左側接続部は、それぞれ弾性体を含む、請求項６に記載の運動器具。
【請求項８】
前記右腕前部装着具は、前記着用者の右手の指に装着され、
前記左腕前部装着具は、前記着用者の左手の指に装着される、請求項６または７に記載の運動器具。
【請求項９】
前記右腕前部装着具は、前記着用者の右手首に装着され、
前記左腕前部装着具は、前記着用者の左手首に装着される、請求項６または７に記載の運動器具。
【請求項１０】
前記右上腕装着具と前記左上腕装着具には、それぞれ重りが取り付けられる、請求項５から９のいずれかに記載の運動器具。
【発明の詳細な説明】
【技術分野】
【０００１】
本発明は、好ましいランニングフォームを習得するための運動器具に関する。
【背景技術】
【０００２】
ランニングでは肘の角度や腕の振りなどのランニングフォームが重要であり、適正なランニングフォームを習得するためのさまざまな器具が提案されている。特許文献１に記載の走行練習具は、着用者の前腕に装着され、肘を曲げて適切なリズムで腕を振ると衝突音が発生する発音体を備えており、発音体から発生する衝突音のリズムと大きさを頼りに着用者が適正なランニングフォームを習得することができる。
【先行技術文献】
【特許文献】
【０００３】
【特許文献１】特開２０１５−１９２８６８号公報
【発明の概要】
【発明が解決しようとする課題】
【０００４】
ところで、ランニングフォームでは、肘の角度や腕の振りの大きさに加えて、走行方向に対する腕の振りの方向も重要である。しかしながら、特許文献１を含む従来技術では、右腕と左腕の肘の角度や腕の振りの大きさをそれぞれ習得することはできるものの、走行方向に対する適正な腕の振りの方向を習得することができないという問題点があった。
【０００５】
そこで本発明は、腕の振りの方向を含む好ましいランニングフォームを習得することができる運動器具を提供することを目的とする。
【課題を解決するための手段】
【０００６】
本発明の運動器具は、着用者の右上腕に装着し、前記右上腕と右前腕が所定の角度より広がらないように規制する右腕装着部と、前記着用者の左上腕に装着し、前記左上腕と左前腕が所定の角度より広がらないように規制する左腕装着部と、前記右腕装着部と前記左腕装着部に接続され、前記右上腕と前記左上腕が所定の距離より離れないように規制する中央接続部と、を備える。
【発明の効果】
【０００７】
本発明によれば、腕の振りの方向を含む好ましいランニングフォームを習得することができる。
【図面の簡単な説明】
【０００８】
【図１】本発明の一実施の形態の運動器具を装着したランナーを（ａ）正面から見た図（ｂ）左斜め横から見た図
【図２】本発明の一実施の形態の運動器具の構成説明図
【図３】本発明の一実施の形態の運動器具の第２の実施例の構成説明図
【図４】本発明の一実施の形態の運動器具の第３の実施例の構成説明図
【発明を実施するための形態】
【０００９】
次に本発明の実施の形態を図面を参照して説明する。本開示は、以下の実施の形態の具体的な構成に限定されるものではなく、同様の技術的思想に基づく構成が本開示に含まれる。まず図１、図２を参照して、運動器具１の全体構成を説明する。運動器具１は、ランナー（以下「着用者１００」と称する。）に装着されて使用される。着用者１００の右上腕１０１には、運動器具１の右上腕装着具２が装着される。着用者１００の左上腕１０２には、運動器具１の左上腕装着具３が装着される。着用者１００の右手１０３の親指１０４には、運動器具１の右親指装着具４が装着される。着用者１００の左手１０５の親指１０６には、運動器具１の左親指装着具５が装着される。
【００１０】
右上腕装着具２、左上腕装着具３、右親指装着具４、左親指装着具５は、それぞれ図示省略する面ファスナを備えており、面ファスナを開けた状態で右上腕１０１、左上腕１０２、右手１０３の親指１０４、左手１０５の親指１０６にそれぞれ巻き付けて装着具合を調整した後、面ファスナを閉じて装着位置を固定する。なお、右上腕装着具２、左上腕装着具３、右親指装着具４、左親指装着具５は、面ファスナで着用する構成に限定されることはない。例えば、伸縮性のある筒状のサポータの中に腕や指を挿入して着用する構成でもよい。また、右親指装着具４、左親指装着具５は、手袋の形状であってもよい。
【００１１】
右上腕装着具２に設けられた腕間接続リング２ａと左上腕装着具３に設けられた腕間接続リング３ａには、腕間接続体６が環状となるように接続されている（図４も参照）。腕間接続体６は、丸ゴムの周囲を糸で織って覆ったゴムロープなどの弾性体であり、伸縮性を有している。すなわち、腕間接続体６が伸びると、腕間接続体６には縮む方向の力が発生する。環状の腕間接続体６のうち、前側は着用者１００の胸部１０８を経由するように、後側は着用者１００の後頸部１０９を経由するように着用者１００に装着される。
【００１２】
以下、腕間接続体６のうち、着用者１００の胸部１０８を経由する部分を前側弾性体６ａと称し、着用者１００の後頸部１０９を経由する部分を後側弾性体６ｂと称する。すなわち、前側弾性体６ａと後側弾性体６ｂは、それぞれ右上腕装着具２と左上腕装着具３の間に接続されている。前側弾性体６ａと後側弾性体６ｂ（すなわち腕間接続体６）は、右上腕装着具２と左上腕装着具３に接続され、右上腕１０１と左上腕１０２が所定の距離より離れないように規制する中央接続部を構成する。なお、前側弾性体６ａと後側弾性体６ｂは環状に形成される必要はなく、右上腕装着具２の腕間接続リング２ａと左上腕装着具３の腕間接続リング３ａの間に接続される２本のゴムロープで構成されてもよい。
【００１３】
右上腕装着具２に設けられた腕内接続リング２ｂと右親指装着具４に設けられた腕内接続リング４ａには、右側接続体７が環状となるように接続されている。左上腕装着具３に設けられた腕内接続リング３ｂと左親指装着具５に設けられた腕内接続リング５ａには、左側接続体８が環状となるように接続されている。右側接続体７と左側接続体８は、それぞれ丸ゴムの周囲を糸で織って覆ったゴムロープなどの弾性体であり、伸縮性を有している。なお、右側接続体７と左側接続体８は環状に形成される必要はなく、それぞれ１本のゴムロープで構成されてもよい。
【００１４】
このように、着用者１００の右手１０３の指（親指１０４）に装着される右親指装着具４は着用者１００の右腕における肘（右肘１１０）より前方に装着する右腕前部装着具であり、右側接続体７は右上腕装着具２と右腕前部装着具（右親指装着具４）を接続する右側接続部である。また、着用者１００の左手１０５の指（親指１０６）に装着される左親指装着具５は着用者１００の左腕における肘（左肘１１１）より前方に装着する左腕前部装着具であり、左側接続体８は左上腕装着具３と左腕前部装着具（左親指装着具５）を接続する左側接続部である。
【００１５】
右側接続体７の長さは、運動器具１を装着した着用者１００がランニングする際に、着用者１００の右上腕１０１と右前腕１１２が所定の角度（右肘の角度）より広がらないように規制して、好ましいランニングフォームとなる長さに調整される。同様に、左側接続体８の長さは、着用者１００の左上腕１０２と左前腕１１３が所定の角度（左肘の角度）より広がらないように規制される長さに調整される。また、前側弾性体６ａの長さは、右上腕１０１と左上腕１０２が所定の距離より離れないように規制して、好ましいランニングフォームとなる長さに調整される。
【００１６】
右側接続体７、左側接続体８、前側弾性体６ａの長さを適正に調整した運動器具１を装着してランニングすることで、好ましい肘の角度や腕の振りの方向を習得することができる。また、体型が異なる着用者１００であっても、右側接続体７、左側接続体８、前側弾性体６ａの長さを変更することで、容易に着用者１００に合わせた好ましいランニングフォームとなるように調整することができる。また、ランニングで腕を振ることで右上腕装着具２や左上腕装着具３の装着位置がずれることがあるが、後頸部１０９を経由するように後側弾性体６ｂを右上腕装着具２と左上腕装着具３に接続することで、右上腕装着具２や左上腕装着具３の装着位置のずれを防止することができる。
【００１７】
このように、右上腕装着具２、右親指装着具４（右腕前部装着具）、右側接続体７（右側接続部）は、着用者１００の右上腕１０１に装着し、右上腕１０１と右前腕１１２が所定の角度より広がらないように規制する右腕装着部９を構成する。また、左上腕装着具３、左親指装着具５（左腕前部装着具）、左側接続体８（左側接続部）は、着用者１００の左上腕１０２に装着し、左上腕１０２と左前腕１１３が所定の角度より広がらないように規制する左腕装着部１０を構成する。また、前側弾性体６ａ、後側弾性体６ｂは、右腕装着部９と左腕装着部１０に接続され、右上腕１０１と左上腕１０２が所定の距離より離れないように規制する中央接続部を構成する。
【００１８】
次に図３を参照して、運動器具の第２の実施例（以下「運動器具２０」と称する。）について説明する。運動器具２０は、右腕前部装着具と左腕前部装着具を装着する位置が運動器具１とは異なる。以下、運動器具１と同じ部分には同じ符号を付して詳細な説明は省略する。なお、図３は、運動器具２０のうち左上腕装着具２２を含む左腕装着部を示しており、右上腕装着具２１を含む右腕装着部と、右上腕装着具２１に設けられた腕間接続リング２１ａと左上腕装着具２２に設けられた腕間接続リング２２ａに接続される中央接続部（前側弾性体６ａ、後側弾性体６ｂ）は記載を省略している。
【００１９】
運動器具２０では、着用者１００の右肘１１０より前方に装着される右腕前部装着具は、着用者１００の右手首１１４に装着される右手首装着具２３である。右上腕装着具２１に設けられた腕内接続リング２１ｂと右手首装着具２３に設けられた腕内接続リング２３ａには、右側接続体７（右側接続部）が接続されている。また、着用者１００の左肘１１１より前方に装着される左腕前部装着具は、着用者１００の左手首１１５に装着される左手首装着具２４である。左上腕装着具２２に設けられた腕内接続リング２２ｂと左手首装着具２４に設けられた腕内接続リング２４ａには、左側接続体８（左側接続部）が接続されている。
【００２０】
このように、運動器具２０では、右腕前部装着具（右手首装着具２３）と左腕前部装着具（左手首装着具２４）は、それぞれ右手首１１４と左手首１１５に装着されるため、右手１０３と左手１０５が自由に使用できる。これによって、運動器具２０は、着用者１００がリレーにおけるバドンの受け渡し練習をする場合でも着用者１００の動作を妨げることがない。
【００２１】
また、運動器具２０では、右上腕装着具２１と左上腕装着具２２には、それぞれ重り２５、２６が取り付けられている。これによって、運動器具２０を装着することで、着用者１００が好ましいランニングフォームを習得することができるとともに、腕の筋肉を増強するトレーニングもできる。
【００２２】
次に図４を参照して、運動器具の第３の実施例（以下「運動器具３０」と称する。）について説明する。運動器具３０は、左上腕装着具３１の腕間接続リング３１ａがバックル３２を介して左上腕装着具３１に接続されるところが運動器具１とは異なる。以下、運動器具１と同じ部分には同じ符号を付して詳細な説明は省略する。なお、図４は、運動器具３０のうち右腕前部装着具、右側接続部、左腕前部装着具、左側接続部の記載を省略している。
【００２３】
バックル３２の被装着部３２ａは、左上腕装着具３１に接続されている。バックル３２の装着部３２ｂは、左上腕装着具３１の腕間接続リング３１ａに接続されている。左上腕装着具３１の腕間接続リング３１ａと右上腕装着具２の腕間接続リング２ａには、腕間接続体６が環状となるように接続されている。バックル３２の装着部３２ｂを被装着部３２ａに装着することで、左上腕装着具３１が腕間接続体６に接続される。
【００２４】
なお、バックル３２は右上腕装着具２に設けてもよく、左上腕装着具３１と右上腕装着具２の両方に設けてもよい。このように、腕間接続体６（中央接続部）は、バックル３２（係止具）を介して少なくとも右上腕装着具２（右腕装着部）または左上腕装着具３１（左腕装着部）のいずれかと着脱自在に接続される。
【００２５】
運動器具３０を着用する際は、まず、バックル３２の装着部３２ｂを被装着部３２ａから外した状態で、右腕装着部と左腕装着部を着用者１００に装着する。バックル３２を外した状態では右腕と左腕を自由に使用することができるため、右腕装着部と左腕装着部の装着が容易に行える。次いでバックル３２の装着部３２ｂを被装着部３２ａに装着する（矢印ａ）。これによって、運動器具３０の着用者１００への着用が完了する。
【００２６】
上記説明したように、本実施の形態の運動器具１は、着用者１００の右上腕１０１に装着し、右上腕１０１と右前腕１１２が所定の角度より広がらないように規制する右腕装着部９と、着用者１００の左上腕１０２に装着し、左上腕１０２と左前腕１１３が所定の角度より広がらないように規制する左腕装着部１０と、右腕装着部９と左腕装着部１０に接続され、右上腕１０１と左上腕１０２が所定の距離より離れないように規制する中央接続部（前側弾性体６ａ、後側弾性体６ｂ）と、を備えている。これによって、運動器具１を装着した着用者１００は、腕の振りの方向を含む好ましいランニングフォームを習得することができる。
【産業上の利用可能性】
【００２７】
本発明の運動器具は、腕の振りの方向を含む好ましいランニングフォームを習得することができるという効果を有し、運動器具を提供する分野において有用である。
【符号の説明】
【００２８】
１、２０、３０  運動器具
２、２１  右上腕装着具
３、２２、３１  左上腕装着具
４  右親指装着具（右腕前部装着具）
５  左親指装着具（左腕前部装着具）
６  腕間接続体（中央接続部）
６ａ  前側弾性体（中央接続部）
６ｂ  後側弾性体（中央接続部）
７  右側接続体（右側接続部）
８  左側接続体（左側接続部）
９  右腕装着部
１０  左腕装着部
２３  右手首装着具（右腕前部装着具）
２４  左手首装着具（左腕前部装着具）
２５、２６  重り
３２  バックル（係止具）
１００  着用者
１０１  右上腕
１０２  左上腕
１０３  右手
１０４、１０６  親指（指）
１０５  左手
１０８  胸部
１０９  後頸部
１１２  右前腕
１１３  左前腕
１１４  右手首
１１５  左手首
【図１】
2020182610.tif 000003
【図２】
2020182610.tif 000004
【図３】
2020182610.tif 000005
【図４】
2020182610.tif 000006